(57)【要約】【課題】装着式の生体情報取得装置を対象者から取り外したとしても、生体情報を継続して取得できる生体情報取得ユニットを提供する。【解決手段】据置ユニット（60）には、所定の対象物（5）に設けられ、対象者の体動を示す第２信号を検出する体動検出部（70）と、生体情報取得装置（10）に上記第２信号を出力する出力部（76）とが設けられる。生体情報取得装置（10）には、出力部（76）から出力された上記第２信号が入力される入力部（36）と、第１信号に基づいて生体情報を取得する第１処理動作と、入力部（36）に入力された上記第２信号に基づいて生体情報を取得する第２処理動作とを実行可能な信号処理部（51）とが設けられる。【選択図】図７
2018134246.tif 000002
【特許請求の範囲】
【請求項１】
対象者に装着可能に構成され、該対象者の体動を示す第１信号に基づいて該対象者の生体情報を取得する装着式の生体情報取得装置（10）と、
上記対象者から取り外された状態の上記生体情報取得装置（10）が設置される設置台（61）を有する据置ユニット（60）とを備えた生体情報取得ユニットであって、
上記据置ユニット（60）には、
所定の対象物（5）に設けられ、対象者の体動を示す第２信号を検出する体動検出部（70）と、
上記生体情報取得装置（10）に上記第２信号を出力する出力部（76）とが設けられ、
上記生体情報取得装置（10）には、
上記出力部（76）から出力された上記第２信号が入力される入力部（36）と、
上記第１信号に基づいて上記生体情報を取得する第１処理動作と、上記入力部（36）に入力された上記第２信号に基づいて上記生体情報を取得する第２処理動作とを実行可能な信号処理部（51）とが設けられることを特徴とする生体情報取得ユニット。
【請求項２】
請求項１において、
上記生体情報取得装置（10）には、充電式電池（22）が設けられ、  
上記据置ユニット（60）には、上記設置台（61）に設置された上記生体情報取得装置（10）の上記充電式電池（22）に給電する給電部（77）が設けられることを特徴とする生体情報取得ユニット。
【請求項３】
請求項１又は２において、
上記生体情報取得装置（10）は、該生体情報取得装置（10）が上記設置台（61）に設置されているか否かを判定する判定部（50）を備え、
上記信号処理部（51）は、
上記判定部（50）により上記生体情報取得装置（10）が上記設置台（61）に設置されていないと判定されるときに上記第１処理動作を実行し、
上記判定部（50）により上記生体情報取得装置（10）が上記設置台（61）に設置されると判定されるときに上記第２処理動作を実行することを特徴とする生体情報取得ユニット。
【請求項４】
請求項１乃至３のいずれか１つにおいて、
上記体動検出部（70）は、上記対象物としての寝具（5）に設けられることを特徴とする生体情報取得ユニット。
【請求項５】
据置ユニットであって、
対象者に装着可能に構成され、該対象者の体動を示す第１信号に基づいて該対象者の生体情報を取得する装着式の生体情報取得装置（10）が設置される設置台（61）と、
所定の対象物の対象者の体動を示す第２信号を検出する体動検出部（70）と、
上記設置台（61）に設置された上記生体情報取得装置（10）に上記第２信号を出力する出力部（76）とを備えていることを特徴とする据置ユニット。
【請求項６】
請求項５において、
上記設置台（61）に設置された上記生体情報取得装置（10）の充電式電池（22）に給電する給電部（77）を備えていることを特徴とする据置ユニット。
【請求項７】
請求項５又は６において、
上記体動検出部（70）は、上記対象物としての寝具（5）に設けられることを特徴とする据置ユニット。
【請求項８】
対象者に装着可能に構成され、該対象者の体動を示す第１信号に基づいて該対象者の生体情報を取得する装着式の生体情報取得装置であって、
据置ユニット（60）の体動検出部（70）により検出した、対象者の体動を示す第２信号が入力される入力部（36）と、
上記第１信号に基づいて上記生体情報を取得する第１処理動作と、上記入力部（36）に入力された上記第２信号に基づいて上記生体情報を取得する第２処理動作とを実行可能な信号処理部（51）とを備えていることを特徴とする生体情報取得装置。
【請求項９】
請求項８において、
上記据置ユニット（60）の設置台（61）に設置されているか否かを判定する判定部（50）を備え、
上記信号処理部（51）は、
上記判定部（50）により上記設置台（61）に設置されていないと判定されるときに上記第１処理動作を実行し、
上記判定部（50）により上記設置台（61）に設置されると判定されるときに上記第２処理動作を実行することを特徴とする生体情報取得装置。
【発明の詳細な説明】
【技術分野】
【０００１】
本発明は、生体情報取得ユニット、据置ユニット、及び生体情報取得装置に関する。
【背景技術】
【０００２】
対象者の生体情報を取得する生体情報取得装置がある。
【０００３】
この種の装置として、特許文献１には、ベルト式の生体情報取得装置が開示されている。同文献の例えば図２に示すように、この生体情報取得装置は、対象者の腰などに装着可能なベルトと、ベルトの表面に取り付けられる空気袋（感圧部）と、空気袋の内圧を検出する圧力センサとを有している。対象者がベルトを装着した状態で、対象者の体動が空気袋に作用すると、空気袋の内圧が変化する。圧力センサは、この内圧に基づいて対象者の生体情報（例えば対象者の寝返りなどの体の動き、呼吸や心拍等の動き）に関する信号を取得する。
【先行技術文献】
【特許文献】
【０００４】
【特許文献１】特開２００１−２８６４４８号公報
【発明の概要】
【発明が解決しようとする課題】
【０００５】
上述したような装着式の生体情報取得装置は、生体情報を取得する際、常に対象者に取り付ける必要がある。これに対し、対象者は、例えば就寝する時や、ソファ等でリラックスしたい時において、必ずしも装着式の生体情報取得装置を身につけたいと考えないことがある。生体情報取得装置を装着することで、拘束感を覚える可能性があるからである。
【０００６】
本発明は、このような課題に鑑みてなされたものであり、その目的は、比較的簡素な構成でありながら、装着式の生体情報取得装置を対象者から取り外したとしても、生体情報を取得できる生体情報取得ユニットを提供することである。
【課題を解決するための手段】
【０００７】
第１の発明は、対象者に装着可能に構成され、該対象者の体動を示す第１信号に基づいて該対象者の生体情報を取得する装着式の生体情報取得装置（10）と、対象者から取り外された状態の生体情報取得装置（10）が設置される設置台（61）を有する据置ユニット（60）とを備えた生体情報取得ユニットであって、据置ユニット（60）には、所定の対象物（5）に設けられ、対象者の体動を示す第２信号を検出する体動検出部（70）と、生体情報取得装置（10）に上記第２信号を出力する出力部（76）とが設けられ、上記生体情報取得装置（10）には、出力部（76）から出力された上記第２信号が入力される入力部（36）と、上記第１信号に基づいて上記生体情報を取得する第１処理動作と、上記入力部（36）に入力された上記第２信号に基づいて上記生体情報を取得する第２処理動作とを実行可能な信号処理部（51）とが設けられることを特徴とする生体情報取得ユニットである。
【０００８】
第１の発明では、生体情報取得装置（10）を対象者に装着した状態では、生体情報取得装置（10）により、対象者の体動を示す第１信号が検出される。生体情報取得装置（10）の信号処理部（51）で第１処理動作が行われると、第１信号に基づいて生体情報が取得される。
【０００９】
一方、対象者が生体情報取得装置（10）を装着したくない状況では、該生体情報取得装置（10）を取り外し、据置ユニット（60）の設置台（61）に設置する。据置ユニット（60）は、所定の対象物（5）（例えば寝具やソファ等）に設けられた体動検出部（70）により、対象者の体動を示す第２信号を検出する。この第２信号は、据置ユニット（60）の出力部（76）、及び生体情報取得装置（10）の入力部（36）を介して信号処理部（51）に送られる。信号処理部（51）で第２処理動作が行われると、第２信号に基づいて生体情報が取得される。
【００１０】
このように、本発明では、生体情報取得装置（10）を取り外したとしても、据置ユニット（60）の体動検出部（70）により、体動を示す第２信号を検出でき、第２信号に基づいて生体情報を取得できる。従って、対象者の状況に応じて生体情報取得装置（10）を取り外したとしても、生体情報を継続して取得できる。
【００１１】
また、本発明では、生体情報取得装置（10）で検出した第１信号と、据置ユニット（60）で検出した第２信号とが、同じ信号処理部（51）によって処理される。このため、据置ユニット（60）に別に信号処理部を設ける構成と比較して、部品点数を削減でき、装置の簡素化を図ることができる。
【００１２】
第２の発明は、第１の発明において、上記生体情報取得装置（10）には、充電式電池（22）が設けられ、上記据置ユニット（60）には、上記設置台（61）に設置された上記生体情報取得装置（10）の上記充電式電池（22）に給電する給電部（77）が設けられることを特徴とする生体情報取得ユニットである。
【００１３】
第２の発明では、据置ユニット（60）の設置台（61）に生体情報取得装置（10）を設置すると、据置ユニット（60）の給電部（77）から、生体情報取得装置（10）の充電式電池（22）に向かって電力が供給される。これにより、生体情報取得装置（10）を対象者から取り外した状態において、生体情報取得装置（10）の充電を行うことができる。
【００１４】
第３の発明は、第１又は２の発明において、上記生体情報取得装置（10）は、該生体情報取得装置（10）が上記設置台（61）に設置されているか否かを判定する判定部（50）を備え、上記信号処理部（51）は、上記判定部（50）により上記生体情報取得装置（10）が上記設置台（61）に設置されていないと判定されるときに上記第１処理動作を実行し、上記判定部（50）により上記生体情報取得装置（10）が上記設置台（61）に設置されると判定されるときに上記第２処理動作を実行することを特徴とする生体情報取得ユニットである。
【００１５】
第３の発明では、生体情報取得装置（10）の状態に応じて、第１処理動作と第２処理動作とが自動的に切り換えて行われる。即ち、対象者が生体情報取得装置（10）を装着すると、生体情報取得装置（10）は設置台（61）に設置されてない状態となる。判定部（50）が、このことを判定すると、信号処理部（51）で第１処理動作が行われる。従って、信号処理部（51）は、生体情報取得装置（10）で検出した第１信号に基づいて生体情報を取得する。
【００１６】
一方、対象者が生体情報取得装置（10）を取り外し、生体情報取得装置（10）を設置台（61）に設置すると、判定部（50）がこのことを判定し、信号処理部（51）で第２処理動作が行われる。従って、信号処理部（51）は、据置ユニット（60）で検出した第２信号に基づいて生体情報を取得する。
【００１７】
このように、生体情報取得装置（10）の設置状況に応じて、第１処理動作と第２処理動作とを切り換えることで、誤った信号処理を回避できる。即ち、例えば対象者が生体情報取得装置（10）を装着しているにも拘わらず、第２処理動作が行われたり、対象者が生体情報取得装置（10）を取り外しているにも拘わらず、第１処理動作が行われたりするのを回避できる。従って、取得した生体情報の精度を向上できる。
【００１８】
第４の発明は、第１乃至３の発明のいずれか１つにおいて、上記体動検出部（70）は、上記対象物としての寝具（5）に設けられることを特徴とする生体情報取得ユニットである。
【００１９】
第４の発明では、体動検出部（70）が寝具（5）（対象者が就寝するベッドや布団等）に設けられる。対象者が寝具（5）に就寝する際には、生体情報取得装置（10）を取り外しつつ、生体情報取得装置（10）を設置台（61）に設置する。この状態では、据置ユニット（60）により、寝具（5）上の対象者の第２信号が検出され、第２処理動作が行われる。従って、対象者は、拘束感を覚えることなく就寝でき、且つ就寝状態の対象者の生体情報を取得できる。
【００２０】
第５の発明は、据置ユニットであって、対象者に装着可能に構成され、該対象者の体動を示す第１信号に基づいて該対象者の生体情報を取得する装着式の生体情報取得装置（10）が設置される設置台（61）と、所定の対象物の対象者の体動を示す第２信号を検出する体動検出部（70）と、上記設置台（61）に設置された上記生体情報取得装置（10）に上記第２信号を出力する出力部（76）とを備えていることを特徴とする据置ユニットである。
【００２１】
第５の発明では、第１の発明を実現するための据置ユニット（60）を提供できる。
【００２２】
第６の発明は、第５の発明において、上記設置台（61）に設置された上記生体情報取得装置（10）の充電式電池（22）に給電する給電部（77）を備えていることを特徴とする据置ユニットである。
【００２３】
第６の発明では、第２の発明を実現するための据置ユニット（60）を提供できる。
【００２４】
第７の発明は、第５又は６の発明において、上記体動検出部（70）は、上記対象物としての寝具（5）に設けられることを特徴とする据置ユニットである。
【００２５】
第７の発明では、第４の発明を実現するための据置ユニット（60）を提供できる。
【００２６】
第８の発明は、対象者に装着可能に構成され、該対象者の体動を示す第１信号に基づいて該対象者の生体情報を取得する装着式の生体情報取得装置であって、据置ユニット（60）の体動検出部（70）により検出した、対象者の体動を示す第２信号が入力される入力部（36）と、上記第１信号に基づいて上記生体情報を取得する第１処理動作と、上記入力部（36）に入力された上記第２信号に基づいて上記生体情報を取得する第２処理動作とを実行可能な信号処理部（51）とを備えていることを特徴とする生体情報取得装置である。
【００２７】
第８の発明では、第１の発明を実現するための生体情報取得装置（10）を提供できる。
【００２８】
第９の発明は、第８の発明において、上記据置ユニット（60）の設置台（61）に設置されているか否かを判定する判定部（50）を備え、上記信号処理部（51）は、上記判定部（50）により上記設置台（61）に設置されていないと判定されるときに上記第１処理動作を実行し、上記判定部（50）により上記設置台（61）に設置されると判定されるときに上記第２処理動作を実行することを特徴とする生体情報取得装置である。
【００２９】
第９の発明では、第３の発明を実現するための生体情報取得装置（10）を提供できる。
【発明の効果】
【００３０】
本発明によれば、対象者から生体情報取得装置（10）を取り外しつつ、据置ユニット（60）で検出した第２信号を用いて継続的に生体情報を取得できる。従って、対象者が生体情報取得装置（10）を装着することに起因して、対象者の快適性を損なうことを回避できる。
【００３１】
また、本発明によれば、２つの信号を同じ信号処理部（51）により処理するため、据置ユニット（60）に別に信号処理部を設ける構成と比較して、部品点数やコストを削減でき、装置の簡素化・小型化を図ることができる。
【図面の簡単な説明】
【００３２】
【図１】図１は、実施形態に係る生体情報取得ユニットを示す概略の全体構成図であり、生体情報取得装置が据置ユニットから外れた状態を示している。
【図２】図２は、実施形態に係る生体情報取得ユニットを示す概略の全体構成図であり、生体情報取得装置が据置ユニットに設置された状態を示している。
【図３】図３は、実施形態に係る生体情報取得装置の外観を示す上面図である。
【図４】図４は、実施形態に係る生体情報取得装置の外観を示す正面図である。
【図５】図５は、実施形態に係る生体情報取得装置の外観を示す右面図である。
【図６】図６は、実施形態に係る生体情報取得装置の外観を示す背面図である。
【図７】図７は、実施形態に係る生体情報取得ユニットの全体構成を示すブロック図である。
【図８】図８は、実施形態に係る第２チューブの設置状態の一例を示す概略構成図である。
【発明を実施するための形態】
【００３３】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３４】
図１及び図２に示すように、実施形態に係る生体情報取得ユニット（1）は、装着式の生体情報取得装置（10）と、クレードルユニット（60）とが組み合わされて構成される。生体情報取得装置（10）は、クレードルユニット（60）の充電台（61）に設置可能に構成される（図２を参照）。
【００３５】
〈生体情報取得装置の基本構成〉
図１〜図６に示す生体情報取得装置（10）は、対象者に装着可能な装着式である。生体情報取得装置（10）は、対象者の着用品（2,3）に着脱可能に構成され、着用品（2,3）を介して対象者に取り付けられる。本実施形態の生体情報取得装置（10）は、着用品であるベルト（2）及びズボン（3）に装着される。
【００３６】
生体情報取得装置（10）は、ケースユニット（11）、第１感圧ユニット（30）、回路基板（21）、及び充電式電池（22）を備えている。
【００３７】
〈ケースユニット〉
図１及び図５に示すように、ケースユニット（11）は、全体として縦長で下側が開放する逆Ｕ字状の外形を構成している。ケースユニット（11）は、対象者の着用品（2,3）を挟持する挟持部材を構成する。ケースユニット（11）は、第１ケーシング（12）と、第２ケーシング（13）と、接続部材（14）とを有している。第１ケーシング（12）は、着用品（2,3）を挟んで対象者側に配置される。第２ケーシング（13）は、着用品（2,3）を挟んで対象者と反対側に配置される。接続部材（14）は、可撓性を有する筒状の樹脂材料で構成される。接続部材（14）は、第１ケーシング（12）の端部と第２ケーシング（13）の端部とを連結する。
【００３８】
第１ケーシング（12）には、第１感圧ユニット（30）が収容され、第２ケーシング（13）には、液晶ディスプレイ（20）、回路基板（21）、及び充電式電池（22）が収容される。
【００３９】
図４に示すように、第２ケーシング（13）の前面には、液晶ディスプレイ（20）を露出させるための開口（15）が形成される。液晶ディスプレイ（20）には、生体情報取得装置（10）の操作に関する情報や、対象者の生体情報に関する情報が表示される。
【００４０】
第２ケーシング（13）の右側の側面には、電源ボタン（16）と、切り替えボタン（17）とが設けられる。電源ボタン（16）は、液晶ディスプレイ（20）ないし生体情報取得装置（10）のＯＮ／ＯＦＦの切り換えを行うためのＯＮ／ＯＦＦスイッチである。切り替えボタン（17）は、例えば液晶ディスプレイ（20）の表示の切り替え等を行うための切換部である。
【００４１】
ケースユニット（11）では、第１ケーシング（12）と第２ケーシング（13）と接続部材（14）との間に、着用品（2,3）が挿通される凹部（18）（挿通孔）が形成される。
【００４２】
ケースユニット（11）の内部には、クリップ（図示省略）が収容される。クリップは、第１ケーシング（12）、接続部材（14）、及び第２ケーシング（13）に沿ったＵ字状の板ばねである。このクリップの付勢力により、第１ケーシング（12）と第２ケーシング（13）とが近接する方向に付勢される。これにより、ケースユニット（11）が、着用品（2,3）を強固に取り付けられる。なお、クリップにかえて、スプリング等の他の弾性部材を用いることもできる。
【００４３】
〈第１感圧ユニット〉
図１及び図６に示すように、第１感圧ユニット（30）は、第１ケーシング（12）の内部に収容される。第１感圧ユニット（30）は、対象者の体動を示す第１信号を検出する第１体動検出部を構成する。本実施形態の第１感圧ユニット（30）は、第１チューブ（31）と、第１圧力センサ（32）と、第１チューブコネクタ（33）とを有している。
【００４４】
第１チューブ（31）は、対象者の体動が作用する第１感圧部であり、中空状の中空部材を構成している。具体的に、第１チューブ（31）は、横断面が円形状の細長いチューブ状に形成され、可撓性を有する樹脂材料（例えば塩化ビニル）で構成される。第１チューブ（31）は、第１ケーシング（12）の裏側の壁面（第１壁部（12a））と、第１ケーシング（12）の表側の壁面（第２壁部（12b））とに挟まれるように配置される。
【００４５】
図６に示すように、第１チューブ（31）は、第１壁部（12a）に沿うように略Ｕ字状に配設される。第１チューブ（31）の基端部は、筒状の第１チューブコネクタ（33）を介して第１圧力センサ（32）に接続される。第１チューブ（31）の先端は開口していてもよいし、栓などで封止されていてもよい。また、この栓に第１チューブ（31）の内部と外部とを連通させる連通口を形成してもよい。いずれの構成においても、第１チューブ（31）は、対象者の体動が作用することで内圧が変化するように構成される。
【００４６】
第１圧力センサ（32）は、第１ケーシング（12）の上端寄りであって、前後方向において接続部材（14）と重なる位置にある。第１圧力センサ（32）は、マイクロフォンで構成される。第１圧力センサ（32）は、第１チューブ（31）の内圧を検出し、この内圧に応じた圧力信号を出力する。この圧力信号が、対象者の体動を示す第１信号となる。第１圧力センサ（32）で検出した第１信号は、信号線（図示省略）を介して回路基板（21）へ送られる。
【００４７】
第１チューブコネクタ（33）は、第１チューブ（31）と第１圧力センサ（32）とを接続する筒状の部材である。第１チューブコネクタ（33）には、第１圧力センサ（32）が収容される凹状の第１収容部（34）が形成される。第１収容部（34）は、第１チューブコネクタ（33）に接続する第１チューブ（31）と連通する。
【００４８】
〈回路基板〉
図１に示すように、回路基板（21）は、第２ケーシング（13）の内部に収容される。回路基板（21）は、プリント基板で構成され、中央処理演算装置（ＣＰＵ）及び記憶装置（メモリやレジスタ等）を含む電子回路が実装されている。回路基板（21）は、第２ケーシング（13）の前面や後面に沿うように上下に延びる板状に形成される。回路基板（21）の前面（表面）には、上述した液晶ディスプレイ（20）が搭載される。
【００４９】
〈充電式電池〉
充電式電池（22）は、第２ケーシング（13）の内部において、回路基板（21）に隣接する位置に収容される。充電式電池（22）は、生体情報取得装置（10）の電源を構成している。充電式電池（22）には、クレードルユニット（60）から電力が供給される。
【００５０】
〈本体側接続端子〉
図１に示すように、生体情報取得装置（10）の第１ケーシング（12）には、本体側接続端子（35）が設けられている。本体側接続端子（35）は、第１入力端子（36）と第２入力端子（37）とを有している（図７を参照）。第１入力端子（36）は、信号用の入力端子（入力部）を構成する。第１入力端子（36）には、クレードルユニット（60）の第１出力端子（76）から出力される圧力信号（第２信号）が入力される。第２入力端子（37）は、充電用の入力端子を構成する。第２入力端子（37）には、クレードルユニット（60）の第２出力端子（77）から出力される電力が入力される。
【００５１】
〈クレードルユニットの基本構成〉
図１及び図２に示すクレードルユニット（60）は、所定の設置面（例えば机の上）に設置される据置ユニットを構成している。クレードルユニット（60）は、充電台（61）と、ＡＣアダプタ（68）と、第２感圧ユニット（70）とを有している。
【００５２】
〈充電台〉
充電台（61）は、生体情報取得装置（10）（厳密には、装置本体であるケースユニット（11））が設置される設置台を構成している。充電台（61）は、上側が開放する凹状に形成される。充電台（61）は、横長の基台部（62）と、該基台部（62）の長手方向の一端（図１の右端）から上方に突出する第１凸部（63）と、該基台部（62）の長手方向の他端（図１の左端）から上方に突出する第２凸部（64）とを有している。充電台（61）では、基台部（62）、第１凸部（63）、及び第２凸部（64）の内側に、生体情報取得装置（10）が格納される格納部（65）が形成される。
【００５３】
第１凸部（63）には、生体情報取得装置（10）の充電式電池（22）を充電するためのＡＣアダプタ（68）が接続される。また、第１凸部（63）の内部には、第２圧力センサ（72）及び第２チューブコネクタ（73）が収容される。
【００５４】
〈第２感圧ユニット〉
図１、図２、及び図８に示すように、第２感圧ユニット（70）は、第２チューブ（71）と、第２圧力センサ（72）と、第２チューブコネクタ（73）とを有している。
【００５５】
第２チューブ（71）は、対象者の体動が作用する第２感圧部であり、中空状の中空部材を構成している。具体的に、第２チューブ（71）は、横断面が円形状の細長いチューブ状に形成され、可撓性を有する樹脂材料（例えば塩化ビニル）で構成される。
【００５６】
第２チューブ（71）の基端部は、第１凸部（63）の内部に配設され、第２チューブコネクタ（73）を介して第２圧力センサ（72）と接続される。
【００５７】
図８に示すように、第２チューブ（71）は、対象物である寝具（5）（例えばベッドのマット）上、又はその内部に配設される。対象者が寝具（5）上に横臥すると、対象者の体動が第２チューブ（71）に作用する。
【００５８】
第２チューブ（71）の先端には、矩形薄板状のパッド（80）が取り付けられる。パッド（80）を寝具（5）上に置くことで、第２チューブ（71）の位置ずれを防止できる。
【００５９】
第２チューブ（71）の先端は開口していてもよいし、栓などで封止されていてもよい。また、この栓に第２チューブ（71）の内部と外部とを連通させる連通口を形成してもよい。いずれの構成においても、第２チューブ（71）は、対象者の体動が作用することで内圧が変化するように構成される。
【００６０】
第２圧力センサ（72）は、マイクロフォンで構成される。第２圧力センサ（72）は、第１チューブ（31）の内圧を検出し、この内圧に応じた圧力信号を出力する。この圧力信号が、寝具（5）に存在する対象者の体動を示す第２信号となる。
【００６１】
第２チューブコネクタ（73）は、第２チューブ（71）と第２圧力センサ（72）とを接続する筒状の部材である。第２チューブコネクタ（73）には、第２圧力センサ（72）が収容される凹状の第２収容部（74）を有する。該第２収容部（74）は、第２チューブコネクタ（73）に接続される第２チューブ（71）と連通する。
【００６２】
〈クレードル側接続端子〉
図１に示すように、充電台（61）の第２凸部（64）の上部には、格納部（65）側（図１の右側）部分にクレードル側接続端子（75）が設けられる。生体情報取得装置（10）を充電台（61）に設置すると、本体側接続端子（35）とクレードル側接続端子（75）とが接触し、両者の接点が繋がる。
【００６３】
クレードル側接続端子（75）は、第１出力端子（76）と、第２出力端子（77）とを有している（図７を参照）。第１出力端子（76）は、信号用の出力端子（出力部）を構成している。第１出力端子（76）には、第２圧力センサ（72）で検出した第２信号が信号線（図示省略）を介して送られる。クレードル側接続端子（75）と本体側接続端子（35）とが接続されると、第２信号は、第２出力端子（77）を介して第１入力端子（36）へ出力可能となる。第２出力端子（77）は、給電用の出力端子（給電部）を構成している。第２出力端子（77）には、ＡＣアダプタ（68）から出力される直流電力が入力される。クレードル側接続端子（75）と本体側接続端子（35）とが接続されると、直流電力が、第２出力端子（77）を介して第２入力端子（37）に入力される。この直流電力は、電源ラインを介して充電式電池（22）へ供給される。
【００６４】
〈機能ブロック〉
上述した回路基板（21）に構成される機能ブロックについて、図７を参照しながら詳細に説明する。生体情報取得装置（10）は、判定部（50）、信号処理部（51）、記憶部（57）、及び通信部（58）を有する。
【００６５】
判定部（50）は、生体情報取得装置（10）が充電台（61）に設置されているか否かを判定する。本実施形態の判定部（50）は、充電式電池（22）の給電の有無に応じて、生体情報取得装置（10）の設置状態を判定する。具体的には、生体情報取得装置（10）が充電台（61）に設置されると、第２出力端子（77）及び第２入力端子（37）の接点が繋がり、クレードルユニット（60）から充電式電池（22）へ直流電力が供給される。従って、判定部（50）は、電源ラインの給電状態を示す指標（直流電力、直流電流、直流電圧等）に基づき、給電の有無を判定でき、ひいては生体情報取得装置（10）の設置状態を判定できる。例えば電源ラインの給電が検出されない場合、判定部（50）は、生体情報取得装置（10）が充電台（61）に設置されていないと判断する。逆に、電源ラインの給電が検出される場合、判定部（50）は、生体情報取得装置（10）が充電台（61）に設置されていると判断する。
【００６６】
信号処理部（51）は、体動を示す信号に基づいて、対象者の生体情報を取得するための信号処理を行う。信号処理部（51）は、判定部（50）で判定した生体情報取得装置（10）の設置状態に応じて、第１処理動作と第２処理動作とを切り換える。
【００６７】
第１処理動作は、判定部（50）により、生体情報取得装置（10）が充電台（61）に設置されていないと判定されたときに実行される。第１処理動作では、生体情報取得装置（10）の第１感圧ユニット（30）で検出された第１信号に基づいて対象者の生体情報が取得される。
【００６８】
第２処理動作は、判定部（50）により、生体情報取得装置（10）が充電台（61）に設置されていると判定されたときに実行される。第２処理動作では、クレードルユニット（60）の第２感圧ユニット（70）で検出された第２信号に基づいて対象者の生体情報が取得される。
【００６９】
本実施形態の信号処理部（51）は、体動信号抽出部（52）、心拍信号抽出部（53）、呼吸信号抽出部（54）、自律神経情報取得部（55）、及び睡眠情報取得部（56）を有する。
【００７０】
体動信号抽出部（52）は、第１信号又は第２信号に基づいて、対象者の体動信号を抽出する。ここで、体動信号は、対象者の大きな体の動き（粗体動）と、心拍や呼吸に由来する小さな体の動き（微体動）とが重畳した信号である。
【００７１】
体動信号抽出部（52）は、判定部（50）の判定結果に応じて、第１信号から体動信号を抽出するか、第２信号から体動信号を抽出するかを切り換える。つまり、第１処理動作では、第１信号に基づいて体動信号を抽出し、第２処理動作では、第２信号に基づいて体動信号を抽出する。
【００７２】
心拍信号抽出部（53）は、体動信号抽出部（52）で抽出した体動信号から心拍に由来する信号（心拍信号）だけを抽出する。
【００７３】
呼吸信号抽出部（54）は、体動信号抽出部（52）で抽出した体動信号から呼吸に由来する信号（呼吸信号）だけを抽出する。
【００７４】
自律神経情報取得部（55）は、心拍信号抽出部（53）で抽出した心拍信号に基づいて、例えば対象者のLF/HF値を算出する。ここで、LF/HF値は、心拍信号に基づいて求められた拍動間隔のゆらぎの低周波成分LFと、この拍動間隔の揺らぎの高周波成分HFとの比である。このLF/HF値は、ストレス度や自律神経活動を示す指標となり、LF/HF値が高いほどストレス度が高いことを意味する。
【００７５】
睡眠情報取得部（56）は、体動信号、心拍信号、及び呼吸信号に基づいて、対象者の睡眠に関する情報（着床、入眠、目覚め、離床等の寝具上での活動状態や、睡眠深度等）を取得する。
【００７６】
信号処理部（51）の第１処理動作では、自律神経情報取得部（55）により対象者の自律神経に関する情報が取得される。一方、信号処理部（51）の第２処理動作においては、睡眠情報取得部（56）により対象者の睡眠に関する情報が取得される（詳細は後述する）。
【００７７】
記憶部（57）は、フラッシュメモリ等の半導体メモリで構成される。記憶部（57）には、回路基板（21）で処理される各種の信号や、取得した生体情報に関するデータが、対応する時刻とともに適宜記憶される。具体的には、例えば記憶部（57）には、体動信号、心拍信号、LF/HF値等が時系列データとして漸次記憶されていく。
【００７８】
通信部（58）は、生体情報取得装置（10）の通信インターフェースである。つまり、通信部（58）は、有線又は無線からなるネットワーク通信を介して外部機器（スマートフォン、タブレット、パーソナルコンピュータ等の情報端末）と接続される。例えば記憶部（57）に記憶された各情報は、ネットワーク通信を介して外部機器へ送信される。これにより、対象者は、外部機器を用いて生体情報の詳細を確認することができる。
【００７９】
〈生体情報取得装置の装着／取り外し〉
図５に示すように、本実施形態の生体情報取得装置（10）は、ケースユニット（11）を着用品（2,3）に取り付けることで対象者に装着される。具体的には、ケースユニット（11）の凹部（18）には、ベルト（2）と、ズボン（3）の腰周りの部分とが同時に挿通される。凹部（18）にベルト（2）及びズボン（3）が挿通された状態では、第１ケーシング（12）と第２ケーシング（13）とが、その内部のクリップにより付勢される。これにより、ベルト（2）及びズボン（3）は、第１ケーシング（12）と第２ケーシング（13）とによって挟持される。従って、ケースユニット（11）がベルト（2）及びズボン（3）から外れてしまうことを確実に防止できる。
【００８０】
生体情報取得装置（10）を取り外す際には、クリップの付勢力に抗して第１ケーシング（12）と第２ケーシング（13）とを離間させ、ケースユニット（11）を上方へ移動させる。これにより、生体情報取得装置（10）をベルト（2）及びズボン（3）から容易に取り外すことができる。
【００８１】
〈第１処理動作〉
第１処理動作は、生体情報取得装置（10）が対象者に装着されるときに実行される。
【００８２】
生体情報取得装置（10）をベルト（2）及びズボン（3）に取り付けた状態では、対象者の腹部と第１ケーシング（12）とが接触する。このため、対象者の体動は第１ケーシング（12）の第１壁部（12a）を介して第１チューブ（31）へ伝達される。第１圧力センサ（32）は、この第１チューブ（31）の内圧ないし内圧変化を検出し、第１信号を出力する。
【００８３】
生体情報取得装置（10）が対象者に装着される状態では、判定部（50）により、生体情報取得装置（10）が充電台（61）に設置されていないと判断される。このため、信号処理部（51）では、第１処理動作が実行される。
【００８４】
第１処理動作では、体動信号抽出部（52）が第１信号から体動信号を抽出する。次いで、心拍信号抽出部（53）は、この体動信号から心拍信号を抽出する。次いで、自律神経情報取得部（55）は、心拍信号に基づいて対象者のLF/HF値を漸次算出する。このLF/HF値に基づき、対象者のストレス状態を評価できる。
【００８５】
〈第２処理動作〉
第２処理動作は、生体情報取得装置（10）が充電台（61）に設置されるときに実行される。例えば対象者が就寝する際、対象者が生体情報取得装置（10）を装着したままであると、対象者が拘束感を覚えてしまう。このため、対象者は生体情報取得装置（10）を外して充電台（61）に設置する。これにより、対象者は拘束感を覚えることなく、更に生体情報取得装置（10）の充電を行うことができる。
【００８６】
対象者が寝具（5）に入床すると、対象者の体動が第２チューブ（71）へ伝達される。第２圧力センサ（72）は、この第２チューブ（71）の内圧ないし内圧変化を検出し、第２信号を出力する。
【００８７】
生体情報取得装置（10）が充電台（61）に設置される状態では、第２信号が、第１出力端子（76）及び第１入力端子（36）を介して回路基板（21）へ送られる。同時に、直流電力が、第２出力端子（77）及び第２入力端子（37）を介して充電式電池（22）へ供給される。
【００８８】
このように充電式電池（22）の給電が行われると、判定部（50）により、生体情報取得装置（10）が充電台（61）に設置されていると判断される。このため、信号処理部（51）では、第２処理動作が実行される。
【００８９】
第２処理動作では、体動信号抽出部（52）が第２信号から体動信号を抽出する。次いで、心拍信号抽出部（53）は、この体動信号から心拍信号を抽出する。また、呼吸信号抽出部（54）は、この体動信号から呼吸信号を抽出する。次いで、睡眠情報取得部（56）は、体動信号、心拍信号、及び呼吸信号の少なくとも１つを用いて対象者の睡眠に関する情報を取得する。これにより、対象者の睡眠状態を評価できる。
【００９０】
〈実施形態の効果〉
本実施形態によれば、対象者の就寝時には、対象者から生体情報取得装置（10）を取り外しつつ、継続的に生体情報（睡眠に関する情報）を取得できる。従って、対象者が拘束感を覚えることなく、対象者の生体情報を取得できる。
【００９１】
また、対象者の就寝時において、生体情報取得装置（10）を充電台（61）に設置することで、対象者の睡眠情報を取得しつつ、生体情報取得装置（10）の充電を行うことができる。
【００９２】
第１処理動作と第２処理動作とでは、信号処理部（51）が兼用される。このため、例えばクレードルユニット（60）側に別途、信号処理部ないし回路基板を設ける必要がないため、部品点数やコストを削減できるとともに、クレードルユニット（60）の小型化を図ることができる。
【００９３】
第１処理動作と第２処理動作とでは、判定部（50）による電源ラインの給電の有無に基づいて、自動的に切り換えられる。このため、例えば生体情報取得装置（10）が対象者に装着されているにも拘わらず、第２信号に基づいて睡眠情報を取得する処理が行われたり、生体情報取得装置（10）が充電台（61）に設置されているにも拘わらず、第１信号に基づいて自律神経情報を取得する処理が行われたりする不具合を回避できる。
【００９４】
《その他の実施形態》
上記実施形態の判定部（50）は、充電式電池（22）の給電の有無に基づいて、生体情報取得装置（10）の設置状態を判定し、第１処理動作と第２処理動作とを切り換えている。しかし、判定部（50）は、他の方法により生体情報取得装置（10）の設置状態を判定してもよい。具体的には、生体情報取得装置（10）を充電台（61）に設置することで作動するスイッチを用いたり、第２圧力センサ（72）から出力される第２信号の変化を用いたりすることも可能である。
【００９５】
また、判定部（50）を省略し、対象者の操作により第１処理動作と第２処理動作とを手動で切り換える構成としてもよい。
【００９６】
上記実施形態では、第２チューブ（71）が対象物である寝具（5）に設けられているが、第２チューブ（71）を例えばソファやマッサージチェア等の椅子の座部に設けてもよい。この場合、対象者が生体情報取得装置（10）を充電台（61）に設置した状態で、座部に座る対象者の生体情報（例えば自律神経情報）を、第２信号に基づいて継続して取得することができる。
【００９７】
据置ユニット（クレードルユニット（60））は、必ずしも充電の機能を有していなくてもよい。この場合にも、生体情報取得装置（10）を設置台（61）に設置することで、拘束感を覚えることなく、第２信号に基づいて生体情報を取得することができる。
【００９８】
上記実施形態の第１感圧ユニット（30）は、第１チューブ（31）と第１圧力センサ（32）とを有するものであるが、第１感圧ユニット（30）として対象者の体動が作用する圧電素子等の他のセンサを用いることもできる。体動検出部である第２感圧ユニット（70）も同様である。
【００９９】
中空部材である第１チューブ（31）や第２チューブ（71）は、必ずしもチューブ状でなくてもよく、例えば袋状であってもよい。
【０１００】
信号処理部（51）では、体動信号抽出部（52）、心拍信号抽出部（53）、呼吸信号抽出部（54）、自律神経情報取得部（55）、睡眠情報取得部（56）のいずれかを省略した構成としてもよい。また、例えば自律神経情報取得部（55）や睡眠情報取得部（56）の機能を、通信部（58）を介してネットワーク上に繋がるサーバや、他の通信端末に付与してもよい。この場合、信号処理部（51）で得られた信号に基づき、サーバや通信端末において対象者の更なる生体情報が取得されることになる。
【０１０１】
生体情報取得装置（10）のケースユニット（11）は、着用品であるベルト（2）やズボン（3）に装着されるが、例えばスカート、靴、使い捨てパンツ等の他の着用品に装着されるものであってもよい。
【産業上の利用可能性】
【０１０２】
以上説明したように、本発明は、生体情報取得ユニットとして有用である。
【符号の説明】
【０１０３】
１      生体情報取得ユニット
５      寝具（対象物）
１０      生体情報取得装置
２２      充電式電池
３６      第１入力端子（入力部）
５０      判定部
５１      信号処理部
６０      クレードルユニット（据置ユニット）
６１      充電台（設置台）
７０      第２感圧ユニット（体動検出部）
７６      第１出力端子（出力部）
７７      第２出力端子（給電部）
【図１】
2018134246.tif 000003
【図２】
2018134246.tif 000004
【図３】
2018134246.tif 000005
【図４】
2018134246.tif 000006
【図５】
2018134246.tif 000007
【図６】
2018134246.tif 000008
【図７】
2018134246.tif 000009
【図８】
2018134246.tif 000010